(57)【要約】      （修正有）【課題】構造は簡単で、合理的で、生産効率も高く、生産コストも低くなる電子膨張弁を提供する。【解決手段】新型電子膨脹弁であって、二個に分けた半分割ローターコアー７２を利用して中空磁気体６内に入れて一個の全体の回転ローターを構成する。半分割ローターコア７２の軸心に沿って支え棒の外ネジ山と適合う半分割ネジ受け部７１１、半分割ネジ受け部７１１より広いローターコア７２の移動空室部７１２、少し狭い弁ピンの軸穴部と弁ピンの軸穴部より広い弁ピンの尾溝部７１４を加工する。構成された半分割の取付穴７１０に上と下限位置決め階段がある支え棒と弁ピンが設置されており、半分割ローターコア７２の移動空室部７１２内と支え棒の間に上、下限の位置決め階段を通じて中空磁気体６とローターコア７２のリフト制動を実現する。【選択図】図３
0003189312.tif 000002
【実用新案登録請求の範囲】
【請求項１】
以下の特徴をもつ電子膨脹弁；
上下ドッキングが可能であるカバー（２）と弁座（３）を有し、弁座（３）内に弁口（３１）があり、弁座（３）の下部に弁口（３１）に通じる出口管（１００）が接続されており、カバー（２）の下部の外壁に輸入管（２００）がある；
弁座（３）の上部に中空の支え棒（４）が接続されており，この支え棒（４）の上部の外壁に外ネジ山（４１）がある；
該支え棒（４）の下部に輸入管（２００）と弁座（３）の弁口（３１）を接続する連通穴（４２）が開けてあり；
該支え棒（４）の中空穴（４３）に弁座（３）の弁口（３１）の開口の大きさに相当する弁ピン（５）が挿入されている；
カバー（２）内にカバー（２）の中で回転と上下の移動ができる中空磁気体（６）がある；
該中空磁気体（６）の中空穴（６１）内にこの中空磁気体（６）と接続している回転体であるローターコア（７）が設置されており、ローターコア（７）内に支え棒と弁ピンを取付けるための取付穴（７１）が設置されている；
該ローターコア（７）は、取付穴（７１）の中心に沿って半分に分かれ、半分割ローターコアの二個に分けられており、この二個に分けられた半分割ローターコア（７）の接触面間にドッキング位置決め構造（８）が設置されている；
該ローターコア（７）の取付穴（７１）もまた二個からなる半分に分けられる；
半分割ローターコア（７）の半分割の取付穴（７１）は、下から上に、支え棒（４）の外ネジ山（４１）と相対される半分割ネジ受け部（７１１）、ローターコア（７）の移動空室部（７１２）、弁ピン（５）の軸穴部（７１３）と弁ピン（５）の尾溝部（７１４）に分けられる；
該弁ピン（５）の上部（５１）の突き出し部は、該弁ピン（５）の尾溝部（７１４）の中に入り、該弁ピン（５）の尾溝部（７１４）に弁ピン（５）を復帰させるスプリング復帰具（９）が設置されている；
該支え棒（４）の外ネジ山（４１）の上部と半分割ローターコア（７２）の一個の空室部（７１２）の底部間に、それぞれ回転体が上に移動して弁口（３１）が全開する時にドッキングを実現する下限位置決め階段（７２１）が設置されている；
前記支え棒（４）の外ネジ山（４１）の上部と半分割ローターコア（７２）の一個のローターコアの移動空室部（７１２）の上部の間に、回転体が下に移動して弁口（３１）が全閉する時に動作停止を実現する上限位置決め階段（７２２）が設置されている。
【請求項２】
該ドッキング位置決め構造（８）には、少なくとも２対の位置決めピン（８１）と位置決め穴（８２）が含められることを特徴とする請求項１の電子膨脹弁。
【請求項３】
該中空磁気体（６）と半分割ローターコア（７）は、少なくとも一対の線形溝（２０）と線形突き出し部（３０）を通じてドッキング位置決めをなし、ローターコア（７）の上部の露出部にローターコア（７）が磁石からスリップしないように防脱具（４０）が設置されることを特徴とする請求項１又は２の電子膨脹弁。
【考案の詳細な説明】
【技術分野】
【０００１】
本考案はバルブであって，特に流体を制御する電子膨脹弁に関する。
【背景技術】
【０００２】
コイルの駆動を利用して磁気ローターを回転し、磁気ローターの回転をスクリューの上下運動に転換し、又、スクリューがこの固定連結されている弁芯の昇降で弁口の通路（開口）の大きさを制御し、該大きさで流量を制御する手段が知られる。上昇、下降が全部オン/オフ位置である時、専用の上のストッパ構造、下のストッパ構造によって、磁気ローターの回転と弁ピンの移動を停止するというものである。
現有の電子膨脹弁の上のストッパ構造、下のストッパ構造の部品数量が多く、構造が複雑で、組立するのに複雑になって生産コストも高い。例えば：中国特許番号201010144646.9の電子膨脹弁は、上、下のストッパ構造にスリップリング、軸芯、スプリングガイドとストッパロッドが含まれてる。
【先行技術文献】
【特許文献】
【０００３】
【特許文献１】中国特許番号201010144646.9公報
【考案の概要】
【考案が解決しようとする課題】
【０００４】
本考案の目的は既存技術の不足を克服して、構造が簡単で、生産コストが低い新型電子膨脹弁を提供することである。
【課題を解決するための手段】
【０００５】
上記、説明した存在する技術問題を解決する為に、本実用新案は下記の技術的解決手段を提供する。
【０００６】
新型電子膨脹弁には、上下ドッキングが可能であるカバーと弁座を有し，弁座内に弁口があり、弁座の下部に弁口と通じる出口管が接続されており，カバーの下部の外壁に輸入管が設置されている；弁座の上部に中空の支え棒が接続されており，この支え棒の上端外壁に外ネジ山がある；この支え棒の下部に輸入管と弁座の弁口を繋げる連通穴が開けてある；この支え棒の中空穴の中に弁座を制御するための弁口の開口の大きさに相当する弁ピンが挿入されている；カバー内にその中で回転と上下の移動ができる中空磁気体が設置されている；この磁気体の中空穴の中にこの磁気体と繋がる回転体のローターコアがあり，該ローターコア内に支え棒と弁ピンを取付るための取付穴が設置されている；ローターコアは、取付穴の中心に沿って半分割のローターコアの２個によって構成され，この二個の半分割ローターコアの接触面の間にドッキング位置決め構造が設置されている；ローターコアの取付穴も二個の半分割の取付穴に分けられている；半分割ローターコアの半分割の取付穴は、下から上の順に、支え棒の外ネジ山と相対される半分割ネジ受け部、ローターコアの移動空室部、弁ピンの軸穴と弁ピンの尾溝に分ける；該弁ピンの上端の突き出し部は、その弁ピンの尾溝の中に入り、この弁ピンの尾溝部の中に弁ピンを復帰させるスプリング復帰具がある；該支え棒の外ネジ山の上部とその中の半分割ローターコアの移動空室部の底部との間にそれぞれに回転体が上まで移動して弁口を全開する時にドッキングを実現する下限位置決め階段がある；該支え棒の外ネジ山の上部とその中の一個の半分割ローターコアの移動空室部の上部との間にそれぞれ回転体が下まで移動して弁口が全閉する時動作停止を実現する上限位置決め階段がある。
【０００７】
上記の新型電子膨脹弁の改善案の中で、説明したドッキング位置決め構造には少なくとも位置決めピンと位置決め穴が含まれてる。
【０００８】
上記の新型電子膨脹弁の改善案の中で，該中空磁気体と一個の半分割ローターコアは少なくとも一対の線形溝と線形突き出し部を通じて位置決めをする；ローターコア上端部の露出部にローターコアが磁石からスリップしないように防脱具を設置されている。
【考案の効果】
【０００９】
現有の技術と比べると、本考案の有益な効果は、半分に分けられた半分割ローターコアを中空磁気体内に組み合わせて一個全体の回転ローターに構成することに依拠する。半分割ローターコアの軸心に沿って支え棒の外ネジ山と適合う半分割ネジ受け部、半分割ネジ受け部より広いローターコアの移動空室部、少し狭い弁ピンの軸穴部と弁ピンの軸穴より広い弁ピンの尾溝部を加工する，それで構成した半分割の取付穴に上、下位置決め階段がある支え棒と弁ピンを設置して、半分割ローターコアのローターコア移動空室内と支え棒間に上、下位置決め階段を通じて中空磁気体とローターコアのリフト制動を実現する。現在の電子膨脹弁のように、必ず別に数個の部品を追加した上、下スドッパを実現しなくてもいいし、膨脹弁の部品数はもっと少なく、構造も簡単化になって、組立も易くなる。よって、本考案の構造は簡単、合理的で、生産効率も高く、生産コストも低い。
【考案を実施するための形態】
【００１０】
下記は添付図と具体的な実施方式に合わせて本考案に対して具体的な説明をする：
【００１１】
本考案は新型電子膨脹弁であって，例えば図1から7に表示した通り，本考案の新型電子膨脹弁は、上下ドッキングが可能であるU型カバー2と“十”字型弁座3を含み，弁座3内に弁口31があり，弁座3の下部に弁口31と通じる出口管100が接続する。カバー2下部の外壁に輸入管200がある；弁座3の上部は中空“凸”字型支え棒４と接続する，この支え棒4の上部の外壁には外ネジ山41がある；この支え棒4の下部に輸入管200と弁座3の弁口31と接続する連通穴42を開けている；この支え棒4の中空穴43の中に弁座3を制御する弁口31の開口の大きさに相当する51の弁ピン５がある（大体T型）；カバー2の中にこの中で回転と上下の移動ができる中空磁気体6がある；中空磁気体6の中空穴61の中に6と接続する回転体のローターコア７があり，該ローターコア7中に支え棒4と弁ピン5を取付るための取付穴71がある；ローターコア7は、取付穴71の中心に沿って二個の半分割ローターコア72に分ける，この二個の半分割ローターコア72の接触面の間にドッキング位置決め8がある；ローターコア7の取付穴71も二個の半分割の取付穴710に分ける；半分割ローターコア72の半分割の取付穴710は下から上の順で、支え棒４の外ネジ41のネジ山と相対している半分割ネジ受け部711、ローターコアの移動空室部712、弁ピンの軸穴部713と弁ピンの尾溝部714に分ける。その中でローターコアの移動空室部712の横断面は半分割ネジ受け部より大きいが弁ピンの軸穴713の横断面はほとんどローターコア移動空室712と弁ピンの尾溝714より小さく，図5、7に表示した通り、該弁ピン5上部の51がこの弁ピンの尾溝714内に入り，この弁ピンの尾溝部714の中に弁ピン5を復帰させるスプリング復帰具9がある。該支え棒4の外ネジ山41上部とその中の一個の半分割ローターコア72のローターコアの移動空室部712の底の間に回転体が上まで移動して弁口を全開した時スドッパを実現する下限位置決め階段45、721がある；該支え棒4の外ネジ山41上部とその中の一個の半分割ローターコア72のローターコアの移動空室部712の上部間にそれぞれ回転体が下まで移動して全閉した時スドッパを実現する上限位置決め階段44、722がある。
【００１２】
本実例を組立する時、普通はこのように組み立てる： 
【００１３】
1）、カバー2と輸入管200をレーザーで溶接して第一の組み立て品を構成する；
【００１４】
2）、弁座3と出口管100をトンネル炉溶接した後、第二組立品を構成する；
【００１５】
3）、第二組立品と支え棒4を接続して（プラスチック接続を採用する）第三組立品を構成する；
【００１６】
4）、スプリング復帰具9を取付けた弁ピン5を第三組立品中に挿入する，又は、二個の半分割ローターコア72を支え棒4と弁ピン5の上部に挟み，ドッキング位置決め構造8で位置決めした後クローズしてローターコア7になる。組立する時、半分割ローターコアの半分割ネジ受け部711と支え棒4の外ネジ山41との合わせに注意する必要がある。支え棒4の上、下限位置決め階段44、45をローターコアの移動空室部712内に置いて弁ピン5の51を半分割ローターコア72の弁ピンの尾溝部714中に置く；
【００１７】
5）、又、ローターコア7を下から上まで中空磁気体6によって固定して一緒に接続する；
【００１８】
6）、最後に，カバー2を回転体外にセットして、弁座3と一緒に溶接して電子膨脹弁の取付を完成する。
【００１９】
本考案を使用する時、電子膨脹弁のコイルを通電した後、中空磁気体6は、ローターコア7を駆動して回転する時、支え棒4の外ネジ山41と二個の半分割ローターコアの半分割ネジ受け部で構成したローターコア内のネジ受け部の間の合わせによってローターコアと中空磁気体のシンクロナス上昇或は下げることを実現できるし、ローターコアで弁ピン5を駆動して昇降する。例えば、弁ピンが上昇する時、弁ピン下部が制御する弁座3の弁口31の開口がどんどん大きくなり、電子膨脹弁が制御する流体の流量が増え、半分割ローターコアの下限位置決め階段721が支え棒4上の下限位置決め階段45に触る時上昇を停止する、この時、電子膨脹弁は完全にオプン状態である。中空磁気体とローターコアが下降する時、スプリング復帰具の作用で弁ピンはどんどん下げられた後、弁座3の弁口31の開口が、どんどん小さくなって電子膨脹弁が制御する流体流量が小さくなり、ローターコアの移動空室部712内の上限位置決め階段722が支え棒4の上限階段44に触った時中空磁気体とローターコアは下げることを停止する。この時の弁ピンの下部は完全に弁座3の弁口31をロッキングして電子膨脹弁が完全に閉まる状態にする。
【００２０】
上記内容を見ると，本考案は二個の半分割ローターコア7を中空磁気体6内にセットして一個の全体の回転体を構成する。そうすると半分割ローターコア72の軸心に沿って支え棒の外ネジ山と適合う半分割ネジ受け部711、半分割ネジ受け部711より広いローターコア移動空室712、すこし狭い弁ピンの軸穴713と弁ピンの軸穴713より広い弁ピンの尾溝714を加工する。それで構成した半分割取り付け穴710の上部に上、下限位置決め階段44、45の支え棒4と51の弁ピン5を設置する。又、半分割ローターコア72のローターコアの移動空室部内と支え棒の間に上、下限位置決め階段で回転体のリフト制動を実現する。現在の電子膨脹弁ように必ず別に何個の部品を追加して上と下のスドッパを実現しておらず、膨脹弁の部品はより少なく、構造も簡単になって、組立も易くなる。それにより、本考案の構造は簡単、合理的で、生産効率も高く、生産コストも低い。
【００２１】
図4、7で表示した通り，ローターコア内の上、下限位置決め階段722、721が、それぞれ違う半分割ローターコア72のローターコアの移動空室712内の上端と下端に設置されている。当然、上、下限位置決め階段722、721も同じ一個の半分割ローターコア72のローターコア移動空室段712内の上端と下端に設置することができる。支え棒4の上、下限位置決め階段44、45は同じ凸台でもいい、或は独立な二個の凸台でもよい。図面の3、7で表示した通り、このようにすると位置決めを加工し易い。
【００２２】
本実施例の中で、図面3、4、6で示した通り，該ドッキング位置決め構造8には少なくとも2対の位置決めピン81と位置決め穴82が含められている。当然、他の構造でもよく、ただ、二個の半分割ローターコアを合わせて出来上がった内ネジ受け部と支え棒の外ネジ山の間のネジがスムーズに接続されていればよい。
【００２３】
又、本実施例で、図面の3、4で表示した通り，中空磁気体6と半分割ローターコア72は少なくとも一対の線形溝20と線形突き出し30を通じてドッキング位置決めをする。そのため、線形溝、線形突き出し部はそれぞれ中空磁気体内と半分割ローターコア72外壁に設置されている。当然、それたちは反対に半分割ローターコアの外壁と中空磁気体内にそれぞれ設置することができる；ローターコア7上部の露出部にローターコアが磁気体からスリップしないように防脱具40を設置されており，防脱具40はサークリップでローターコアが中空磁気体から出た場合に、サークリップできちんと噛み合う。当然、防脱具は他の構造でもよく、例えばラッチ等が例示される。
【００２４】
本実例の中で、半分割ローターコア72は普通成型品を使う、半分割の取付穴710の半分割ネジ受け部711、ローターコアの移動空室部712、弁ピンの軸穴部713と弁ピンの尾溝部714は直接成型することができる。他の位置決めピン81或は位置決め穴82も一緒に成型することができる。これによりローターコアの精度を上げ、より生産効率をアップし、生産コストを下げられる。スプリング復帰具9は圧縮スプリングである。
【００２５】
上記の実施例を参照して詳しく本考案を記載するが、本考案の公開を通じて、説明した権利要求が限定した実用新型の原理と精神範囲から離れてない状況で、本考案に対していろんな変化と修正することができる。したがって、本公開実施例の詳細な説明はただの解釈で、本考案を制限するものではない。だた、権利要求の内容によって保護範囲を限定する。
【図面の簡単な説明】
【００２６】
【図１】本考案実施例の立体図である；
【図２】本考案実施例の半分割の分解状態での立体図である；
【図３】本考案実施例の組立見取り図一である；
【図４】本考案実施例の組立見取り図二である；
【図５】本考案実施例の構造見取り図である；
【図６】図5のA-A方向断面図である；
【図７】本考案実施例のローターコアと支え棒と弁座間の取付見取り図である。
【符号の説明】
【００２７】
１００：出口管
２：カバー２
２：U型カバー
２０：線形溝
２００：輸入管
３：“十”字型弁座
３０：線形突き出し
３１：弁口
４：中空“凸”字型支え棒
４０：防脱具
４１：外ネジ山
４２：連通穴
４３：中空穴
４４，７２２：上限位置決め階段
４５，７２１：下限位置決め階段
５：弁ピン
５１：弁ピン5上部
６：中空磁気体
６１：中空穴
７：ローターコア
７１：取付穴
７１０：取付穴
７１１：半分割ネジ受け部
７１２：ローターコアの移動空室部
７１３：弁ピンの軸穴部
７１４：弁ピンの尾溝部
７２：ローターコア
７２２，７２１：上、下限位置決め階段
８：ドッキング位置決め
８１：位置決めピン
８２：位置決め穴
９：スプリング復帰具
【図１】
0003189312.tif 000003
【図２】
0003189312.tif 000004
【図３】
0003189312.tif 000005
【図４】
0003189312.tif 000006
【図５】
0003189312.tif 000007
【図６】
0003189312.tif 000008
【図７】
0003189312.tif 000009